(57)【特許請求の範囲】
【請求項１】
緯糸と、鎖編みにより鎖糸にしてある経糸とからなる一重のネットの一方の側に植物種子の発芽生育可能なシートを設けるとともに、前記ネットに収容部を形成し、このネットに、その経糸方向に適宜の間隔をおいて、他の部分より緯糸を密に編織した部分を複数形成し、この編織部分に、通常の編織糸とは別の糸を緯糸として編織して緯糸方向に連続する二重構造の収容部を形成したことを特徴とする緑化用植生基体。
【発明の詳細な説明】
【０００１】
【発明の属する技術分野】
この発明は、例えば法面の緑化工法に用いられる緑化用植生基体に関する。
【０００２】
【従来の技術】
従来より、道路建設や土地造成などに形成される山腹の法面などには、その保護と景観を維持するために、緑化工法を施すことが行われている。この緑化工法の一つとして、緑化用植生基体（張芝体ともいう）による工法がある。この工法は、経糸と緯糸とからなるネットに植物種子の発芽生育可能なシートを設け、このシートに植物種子などの植生材料を設ける一方、ネットに収容部を形成し、この収容部内に、袋内に有機質材料、保水剤や肥料など植物の生育に直接的または間接的に寄与する生育基材を収容してなる肥料袋を収容して構成した緑化用植生基体を法面に敷設するものであり、法面に植物種子を含む有機客土を吹き付ける厚層吹き付け工法とは異なり、簡単かつ経済的に法面の緑化を行うことができる。
【０００３】
そして、従来の緑化用植生基体においては、肥料袋をネットに保持させるために、・二重のネットを用いて、これらの間に肥料袋を収容保持するための収容部を緯糸と平行になるように形成したり、・特開平６−１８５０６１号公報に示されるように、ネットとして一重（一枚もの）のものを用い、このネットの一方の側に、一部の経糸を潜らせるようにして緯糸と平行になるように肥料袋を保持させていた。
【０００４】
【発明が解決しようとする課題】
しかしながら、上記・の手段においては、ネットとして二重のものを用いるため、ネットの製造材料である糸が多く必要であるとともに、その製作工程が複雑であるなど製造コストが嵩むといった問題がある。また、上記・の手段においては、・の手段のような問題はないものの、肥料袋をネットの経糸を潜らせるようにしているだけであるため、肥料袋のネットへの保持が必ずしも確実ではないといった問題がある。
【０００５】
また、ネットへの肥料袋の装着作業は、施工現場である法面上において行われる場合があるが、このような場合、上記いずれの手段においても、装着させにくいといった問題があった。
【０００６】
この発明は、上述の事柄に留意してなされたもので、その目的は、肥料袋をネットに容易に装着することができるとともに、ネットに対して肥料袋を確実に保持させることができる構成が簡単かつ安価な緑化用植生基体を提供することである。
【０００７】
【課題を解決するための手段】
上記目的を達成するため、この発明では、緯糸と、鎖編みにより鎖糸にしてある経糸とからなる一重のネットの一方の側に植物種子の発芽生育可能なシートを設けるとともに、前記ネットに収容部を形成し、このネットに、その経糸方向に適宜の間隔をおいて、他の部分より緯糸を密に編織した部分を複数形成し、この編織部分に、通常の編織糸とは別の糸を緯糸として編織して緯糸方向に連続する二重構造の収容部を形成している。
【０００８】
上記構成の緑化用植生基体においては、ネットが一重のものであるため、構造が簡単であり、その製作を容易かつ安価に行なえる。また、ネットには部分的二重構造の収容部が形成されているので、植物種子などの植生材料を保持したシートがネット全体に設けられてあっても、肥料などの生育基材を収容した肥料袋を容易に収容部に収容することができるとともに、この収容部による肥料袋の保持が確実に行われる。
【０００９】
【発明の実施の形態】
以下、この発明の好ましい実施例を、図を参照しながら説明する。
【００１０】
図１〜図７は、この発明の一実施例を示す。まず、図１〜図３において、１は緑化用植生基体で、ネット２と、このネット２の一方の面に係着され植生材料３を保持したシート４と、ネット２に形成され、肥料袋５を収容するための収容部６とからなる。なお、図１（Ａ）は、緑化用植生基体１の表面側を示し、同図（Ｂ）は裏面側を示している。ここでいう裏面側とは、後述する法面１１（図７参照）に当接する側のことである。
【００１１】
前記ネット２は、経糸７と緯糸８とからなる一重ものであり、経糸７と緯糸８の素材としては、ポリエチレンやポリプロピレンなどのように耐腐食性に優れたものや、麻やジュートなどの植物性繊維あるいはビスコースレーヨンなどのように比較的短期間で腐蝕されるようなものなど、従来からの素材のほかに、次のようなものを用いることができる。
【００１２】
すなわち、強力レーヨンや、防腐処理を施した種々の腐食性素材（これらの素材およびこれを用いたネットとしては、特公平６−９９９１８号公報に示されるものがある）や、
腐食性繊維と合成繊維とからなる混紡繊維や、高分子エマルジョンまたは水溶性ポリマーのうち少なくとも一方をビスコース溶液に内添した混繊レーヨン（これらの素材を用いたネットおよびこれを用いたネットとしては、特公平７−５３９９４号公報に示されるものがある）を用いてネットを形成し、ネットの腐食時期を調整できるようにしてもよい。さらには、生分解生プラスチックによる繊維によってネット２を形成してもよい。
【００１３】
次に、前記シート４およびこれに保持される植生材料３について説明する。まず、シート４は、植物種子の発芽生育の妨げにならず、しかも、水分により溶解するクレープ紙、
高分子系フィルムあるいは澱粉系フィルム、寒冷紗付き水溶性紙、スフ綿、スフ系不織布、パルプ系不織布など各種の水溶性素材あるいは水解性素材で構成することができるが、
この実施例においては、図３における拡大図にも示すように、スフによる薄綿ラップで構成されている。
【００１４】
そして、前記シート４には、植物種子、肥料、土壌改良剤などよりなる植生材料３が、
例えばポリビニルアルコール（ＰＶＡ）のような水溶性糊剤によって付着保持されている。
【００１５】
このようにして、植生材料３を付着保持したシート４は、前記拡大図に示すように、ネット２の一方の面（裏面側）に、植生材料３が裏面側に位置するように、前記水溶性糊剤と同様の水溶性糊剤を用いて係着される。
【００１６】
そして、肥料袋５について説明すると、この肥料袋５は、降雨などにより肥料養分が徐々に滲み出すような厚みと通気性を有するように、スフ系不織布、パルプ系不織布、可溶性紙、生分解性プラスチックフィルムなどの腐食性素材からなる袋９内に、肥料、土壌改良剤、保水剤など植物の生育に直接的または間接的に必要な生育基材１０を収容してなるものである。なお、この肥料袋５には必要により植物種子を混入してもよい。
【００１７】
また、前記肥料袋５を収容する収容部６について説明すると、この収容部６は、その長さ方向がネット２の緯糸８方向となるように、経糸７方向において適宜の間隔で形成される。なお、この収容部６の詳細な構造およびその形成方法については、ネット２の製造方法とともに後述する。
【００１８】
次に、上記緑化用植生基体１の製作方法について、図４〜図６をも参照しながら説明する。まず、収容部６を備えたネット２の製造方法について説明すると、ネット２を構成する経糸７として例えばポリエチレンよりなる２００〜２０００デニール程度のモノフィラメントを、また、緯糸８として例えばポリエチレンよりなるよりなる３００〜３０００デニール程度のテープ状のフラットヤーンをそれぞれ用い、ラッセル織機を用いて製造する。
【００１９】
図４は、収容部６を含むネット２の表面側から見た構成を部分的に示す図であり、図５は、ネット２の裏面側の構成を部分的に示す図である。そして、図４において、７１は経糸としてのモノフィラメントを数本を鎖編みし、縦方向に配列された５本の鎖糸である。
７２，７３は前記モノフィラメントを数本を鎖編みし、５本の鎖糸７１の両側に縦方向に配列された鎖糸で、この鎖糸７２，７３は表面側鎖糸７２Ｆ，７３Ｆと、図５にも示す裏面側鎖糸７２Ｂ，７３Ｂとを互いに引っ掛けて連結するものであるが、その途中には、収容部６を構成するため部分的に分離されている。そして、隣接する鎖糸７１、７２，７３の間隔は、例えば１５ｍｍである。
【００２０】
そして、ネット２の表面側においては、経糸としての鎖糸７１，７２Ｆ，７３Ｆに対してフラットヤーンからなる緯糸８１を順次絡ませるようにして網目体を形成する。この緯糸８１の間隔は１５ｍｍである。したがって、ネット２の裏面側の収容部６以外のネット表面側は、目合いの大きさが１５ｍｍ×１５ｍｍとなる。
【００２１】
一方、ネット２の裏面側においては、経糸としての左右のそれぞれの二本の裏面側鎖糸７２Ｂ，７３Ｂを表面側と平行に編んでいくとともに、この裏面側鎖糸７２Ｂ，７３Ｂに緯糸８２を絡ませる。
【００２２】
そして、裏面側鎖糸７２Ｂ，７３Ｂを縦方向に１目合い数回の割合で表面側鎖糸７２Ｆ，７３Ｆに引っ掛けることにより、表面側鎖糸７２Ｆ，７３Ｆと裏面側鎖糸７２Ｂ，７３Ｂとが合体し、一重のネット部分が形成される。
【００２３】
そして、収容部６を形成するには、裏面側鎖糸７２Ｂ，７３Ｂを表面側鎖糸７２Ｆ，７３Ｆに引っ掛けないで縦方向に数目合い分編んでいき、図４において符号Ａで示すように、表面側鎖糸７２Ｆ，７３Ｆと裏面側鎖糸７２Ｂ，７３Ｂとが編まれない（互いに分離した）部分を形成する。これによって、５本の鎖糸７１の両側に二本ずつ設けられた鎖糸７２，７３に開口された部分７２ａ，７３ａが形成される。
【００２４】
そして、前記一重のネット部分の裏面側においては、５本の鎖糸７１をジャンプするように、つまり、図５に示すように、内側の裏面側鎖糸７２Ｂどうしを他の緯糸８３を用い、ネット２の他の部分より緯糸８３を密に編織する。図４において、符号Ｂは密に編織された部分を示す。これによって、前記開口された部分７２ａ，７３ａに連なるようにして、通常の編織糸とは別の糸を緯糸として編織して緯糸方向に連続した二重構造の部分Ｂが形成され、これが収容部６となる。
【００２５】
この場合、前記緯糸８３を、図６に示すように、裏面側鎖糸７２Ｂに絡めることにより、タイトな組織を構成することができ、ネット２のひきつりを防止することができる。
【００２６】
上述の編織方法を繰り返し行うことにより、一重のネット２に適宜間隔をおいて二重構造の収容部６が形成され、所望構造の収容部６を備えた一重のネット２が得られる。
【００２７】
上述のようにして製作されたネット２に対し、植物種子、肥料、土壌改良剤などよりなる植生材料３を水溶性糊剤によって予め付着保持させたシート４を、同様の水溶性糊剤によって係着させることにより、緑化用植生基体１が得られる。この場合、シート４のネット２に対する係着は、通常、緯糸８３が設けられている側に行うが、緯糸８３の反対側の緯糸８１側に対して行うようにしてもよく、これらいずれの場合も、肥料袋５を良好に保持することができる。
【００２８】
上述のように形成された緑化用植生基体１を用いて、法面を緑化するには、図２に示すように、肥料袋５を緑化用植生基体１の収容部６に装填する。この肥料袋５の収容部６への装填は、予め工場で行ったり、施工対象である法面において、その法面の条件に合わせて行う。そして、図７に示すように、肥料袋５を各収容部６に保持させた緑化用植生基体１を、シート４側が法面１１に接するようにして敷設するのである。
【００２９】
上記構成の緑化用植生基体１においては、ネット２が一重のものであるため、構造が簡単であり、その製作を容易かつ安価に行なえる。また、ネット２には部分的二重構造の収容部６が形成されているので、植物種子などの植生材料３を保持したシート４がネット２全体に設けられてあっても、肥料などの生育基材１０を収容した肥料袋５を容易に収容部６に収容することができ、施工現場での肥料袋５の収容部６に対する装填をきわめて簡単かつ確実に行なえる。
【００３０】
そして、前記緑化用植生基体１は、法面１１に敷設した場合、ジャンプさせた緯糸８３が経糸から離れているために、法面１１の凹凸に自在に馴染むことができるとともに、収容部６も法面１１にきわめてよく馴染む。その結果、収容部６に収容された肥料袋５は、
ネット２に確実に保持されるとともに、法面１１に凹凸などが生じていてもその表面に密着することができるので、所定の肥料養分を供給するとともに、肥料袋５が堰き止め効果を発揮して法面１１の地表面のエロージョンを確実に防止する。
【００３１】
図８および図９は、この発明の他の実施例を示し、この実施例では、緯糸８３を裏面側鎖糸７２Ｂに絡めるのではなく、単に１回だけ係合させている。このようにした場合、ルーズな組織を構成することができ、フレキシブルなものとすることができる。
【００３２】
なお、ネット２の構成は上述の実施例のものに限定されるものではなく、経糸７、緯糸８、ジャンプさせる緯糸８３としては、モノフィラメント、フラットヤーンのいずれでもよい。例えば経糸７、緯糸８をフラットヤーンとし、ジャンプさせる緯糸８３をモノフィラメントとしたり、経糸７、緯糸８、ジャンプさせる緯糸８３の全てをフラットヤーンとしたり、逆に、これらを全てモノフィラメントとしてもよい。また、経糸７をフラットヤーン、緯糸８をモノフィラメントとしてもよく、この場合、ジャンプさせる緯糸８３としては、モノフィラメント、フラットヤーンのいずれでもよい。
【００３３】
また、表面側鎖糸および裏面側鎖糸は２本ずつでなくてもよく、任意であり、それぞれ一本ずつであってもよい。また、表面側鎖糸の間の経糸７１の数も任意の数に設定できることはいうまでもない。
【００３４】
【発明の効果】
この発明の緑化用植生基体は、ネットとして、緯糸と、鎖編みにより鎖糸にしてある経糸とからなる一重のものを用いるとともに、このネットに、その経糸方向に適宜の間隔をおいて、他の部分より緯糸を密に編織した部分を複数形成し、この編織部分に、通常の編織糸とは別の糸を緯糸として編織して緯糸方向に連続する二重構造の収容部を形成しているので、肥料袋をネットに形成された収容部に容易に装着することができるとともに、ネットに対して肥料袋を確実に保持させることができる。しかも、ネットが一重であることから製造コストも低減される。したがって、この発明によれば、安価で取扱いが簡単で有用な緑化用植生基体が得られる。
【図面の簡単な説明】
【図１】  この発明の緑化用植生基体の一例を示す斜視図で、（Ａ），（Ｂ）はそれぞれ表面側、裏面側を示している。
【図２】  前記緑化用植生基体の裏面側を拡大して示す斜視図である。
【図３】  前記緑化用植生基体における収容部近傍を部分拡大図とともに示す斜視図である。
【図４】  前記収容部の一つの構成を説明するための図で、ネットを表面側から見た平面図である。
【図５】  前記収容部の一つの構成を説明するための図で、ネットの裏面側に設けられる経糸および緯糸の状態を示す平面図である。
【図６】  収容部における緯糸の経糸に対する係合状態を拡大して示す平面図である。
【図７】  前記緑化用植生基体を用いた工法を示す断面図である。
【図８】  この発明の他の実施例に係るネットを表面から見た平面図である。
【図９】  前記実施例におけるネットの裏面側に設けられる経糸および緯糸の状態を示す平面図である。
【符号の説明】
１…緑化用植生基体、２…ネット、３…植生材料、４…シート、５…肥料袋、６…収容部、７…経糸、８…緯糸、Ｂ…緯糸を密に編織した部分。
【図１】
0003811535.tif 000002
【図２】
0003811535.tif 000003
【図３】
0003811535.tif 000004
【図４】
0003811535.tif 000005
【図５】
0003811535.tif 000006
【図６】
0003811535.tif 000007
【図７】
0003811535.tif 000008
【図８】
0003811535.tif 000009
【図９】
0003811535.tif 000010